(57)【特許請求の範囲】
【請求項１】
湾曲板状体を複数段に段積みして梱包する梱包体であって、
該梱包体は、少なくとも湾曲板状体の側端部を保持する保持部が形成された一対の長手方向を有する側面保持部材を複数備えて構成され、
該側面保持部材には、長手方向に所定の長さずらして該側面保持部材を段積みするようにガイドすると共に係止するためのガイド係止手段が形成され、
上段の側面保持部材は、該所定の長さずらして下段の側面保持部材に該ガイド係止手段を介して、係止されて段積みされていることを特徴とする湾曲板状体の梱包体。
【請求項２】
上記一対の側面保持部材の間に配置され、湾曲板状体を支持する複数の補強支持部材を更に備え、
該補強支持部材には、所定の長さずらして補強支持部材を段積みするようにガイドすると共に係止するための係止手段が形成され、
上段の補強支持部材は、該所定の長さずらして下段の補強支持部材に該係止手段を介して、係止されて段積みされていることを特徴とする請求項１に記載の湾曲板状体の梱包体。
【請求項３】
前記ガイド係止手段は、前記側面保持部材の下面に形成された凹部と、該凹部に嵌合する、上面に形成された凸部で構成されたことを特徴とする請求項１又は２に記載の湾曲板状体の梱包体。
【請求項４】
前記係止手段は、補強支持部材の下面に形成された凹部と、該凹部に嵌合する、上面に形成された凸部で構成されたことを特徴とする請求項２に記載の湾曲板状体の梱包体。
【請求項５】
湾曲板状体を複数段に段積みして梱包する梱包体を並列させた梱包体ユニットであって、上記請求項１から４のうちいずれか１項に記載の湾曲板状体の梱包体を複数用い、
上記梱包体を構成する側面保持部材には、前記所定の長さずらして段積みすることにより、ずらされた所定の長さ分の突出部位を支持するための支持部が形成され、
該所定の長さずらして段積みされた上段の側面保持部材の所定長さ分の突出部位が、隣接する梱包体の一つ下段の側面保持部材の支持部に支持されていることを特徴とする梱包体ユニット。
【請求項６】
少なくとも平行に設置された一対の壁部を有する外装ケース内に設置して用いられる上記梱包体ユニットであって、
一の梱包体の最下段の側面保持部材及び他の梱包体の最上段の側面保持部材が、該一対の壁部に接触していることを特徴とする請求項５に記載の梱包体ユニット。
【請求項７】
前記他の梱包体の最下段の側面保持部材と一の壁部との間、及び前記一の梱包体の最上段と他の壁部との間に、それぞれ当接部材が設けられることを特徴とする請求項６に記載の梱包体ユニット。
【発明の詳細な説明】
【技術分野】
【０００１】
本発明は、インストルメントパネル等の異形断面を有する湾曲板状体を梱包し、輸送するための湾曲板状体梱包体に関する。
【背景技術】
【０００２】
従来から、合成樹脂性のインストルメントパネル等の異形断面を有する湾曲した薄板状体を梱包し、輸送するため、該板状体の左右両端部を支持すると共に、複数の板状体を、下段の板状体の真上に上段の板状体が位置するように支持する保持材が用いられている。
【０００３】
このような保持材として、台枠上に起立した左右一対の支持部材からなり、各支持部材は、中間幹部の前後部分に、板状体の左右両端部を支持する支持アームを上下に複数個備え、板状体の左右両端部を、左右の支持部材の支持アーム間に係合し、左右の支持部材の前後及び上下に複数個の板状体をラック状に保持する保持材が提案されている（例えば、特許文献１参照。）。
【先行技術文献】
【特許文献】
【０００４】
【特許文献１】特開２００３−３４１７８１号公報
【発明の概要】
【発明が解決しようとする課題】
【０００５】
しかし、このような保持材では、異形断面を有する湾曲した板状体を下段の板状体の真上に位置するように保持するため、上下に複数個の板状体を保持すると、高さが高くなり、保管、輸送の効率が悪かった。特に、所定の高さのコンテナに収納する場合には、コンテナへの収納数が少なくなり、この問題が顕著であった。
【０００６】
又、薄く曲がり易い板状体を左右両端部のみで支持するため、梱包、輸送時に板状体が変形し易いという問題点があった。
【０００７】
更に、板状体を左右両端部のみで支持するため、インストルメントパネル等の異形断面を有する板状体の対向する端部間に重量の軽重がある場合には、軽い側の端部が浮き上がってしまい、安定性がなく、輸送時に破損等に原因ともなるといった問題点があった。
【０００８】
そこで、本発明は、異形断面を有する湾曲した薄板状体を複数個梱包する際に、積層高さを低くし、保管、輸送の効率を高めることを目的とする。
【０００９】
又、本発明は、薄く変形しやすい異形断面を有する板状体の梱包、輸送時での変形を防止することを目的とする。
【００１０】
更に、本発明は、対向する端部間に重量の軽重がある板状体を安定的に保持し、保管、輸送時の破損を防止することを目的とする。
【課題を解決するための手段】
【００１１】
以上のような課題を解決するために本願発明の梱包体は、湾曲板状体を複数段に段積みして梱包する梱包体であって、該梱包体は、少なくとも湾曲板状体の側端部を保持する保持部が形成された一対の長手方向を有する側面保持部材を複数備えて構成され、該側面保持部材には、長手方向に所定の長さずらして該側面保持部材を段積みするようにガイドすると共に係止するためのガイド係止手段が形成され、上段の側面保持部材は、該所定の長さずらして下段の側面保持部材に該ガイド係止手段を介して、係止されて段積みされるものである。これにより、梱包位置をずらすことにより梱包効率を上げることが出来る。又、ガイド係止手段により、確実に位置をずらして段積みすることが出来るので、作業効率も向上できる。
【００１２】
好ましくは、上記一対の側面保持部材の間に配置され、湾曲板状体を支持する複数の補強支持部材を更に備え、該補強支持部材には、所定の長さずらして補強支持部材を段積みするようにガイドすると共に係止するための係止手段が形成され、上段の補強支持部材は、該所定の長さずらして下段の補強支持部材に該係止手段を介して、係止されて段積みされている。これにより、湾曲板状体が大きいものであっても、湾曲板状体を強固に支持することが出来る。
【００１３】
一実施態様として、前記ガイド係止手段は、前記側面保持部材の下面に形成された凹部と、該凹部に嵌合する、上面に形成された凸部で構成され、前記係止手段は、補強支持部材の下面に形成された凹部と、該凹部に嵌合する、上面に形成された凸部で構成されている。
【００１４】
又、本発明の梱包体ユニットは、上記梱包体を複数並列させて構成させたものであり、湾曲板状体を複数段に段積みして梱包する梱包体を並列させた梱包体ユニットであって、上記に記載の何れかの湾曲板状体の梱包体を複数用い、上記梱包体を構成する側面保持部材には、前記所定の長さずらして段積みすることにより、ずらされた所定の長さ分の突出部位を支持するための支持部が形成され、該所定の長さずらして段積みされた上段の側面保持部材の所定長さ分の突出部位が、隣接する梱包体の一つ下段の側面保持部材の支持部に支持されている。段積みする場合に梱包体を所定長さずらす方向に、湾曲板状体の重心がある場合には、側面保持部材を段積みすることにより、梱包体が傾く可能性がある。この傾きを防ぐために、隣接する梱包体によって押さえつけることにより、安定した梱包体ユニットを得ることが出来る。
【００１５】
好ましくは、少なくとも平行に設置された一対の壁部を有する外装ケース内に設置して用いられる上記梱包体ユニットであって、一の梱包体の最下段の側面保持部材及び他の梱包体の最上段の側面保持部材が、該一対の壁部に接触している。梱包体ユニットとして、安定化を図るために外装ケースの壁部を使用するものである。又、一実施態様として、前記他の梱包体の最下段の側面保持部材と一の壁部との間、及び前記一の梱包体の最上段と他の壁部との間に、それぞれ当接部材が設けられる。即ち、最下段及び最上段の側面保持部材と一対の壁部間に当接部材を嵌めて、側面保持部材の動きを抑制できる。
【発明の効果】
【００１６】
以上のような本発明によれば、薄板状体を複数個梱包する際に、積層高さを低くし、保管、輸送の効率を高めることが可能となった。
【００１７】
又、板状体の梱包、輸送時での変形を防止することが可能となった。
【００１８】
又、対向する端部間に重量の軽重がある板状体を安定的に保持し、保管、輸送時の破損を防止することが可能となった。
【図面の簡単な説明】
【００１９】
【図１】本発明の湾曲板状体梱包体の一実施形態の分解斜視図
【図２】側面保持部材の積層状態側面図
【図３】補強支持部材の積層状態側面図
【図４】本発明の湾曲板状体梱包体の一実施形態の使用状態の平面図
【図５】本発明の湾曲板状体梱包体の一実施形態の使用状態の側面図
【発明を実施するための形態】
【００２０】
以下本発明の実施の形態を図を参照して説明する。図１は本発明の湾曲板状体梱包体の一実施の形態の分解斜視図であり、図２は、湾曲板状体梱包体の側面保持部材の積層状態の側面図であり、図３は、湾曲板状体梱包体の補強支持部材の積層状態の側面図であり、図４は、湾曲板状体梱包体ユニットを用いて湾曲板状体を梱包した使用状態の平面図であり、図５は、複数の湾曲板状体梱包体ユニットを用いて複数の湾曲板状体を梱包した使用状態の側面図である。
【００２１】
以下、本発明の被梱包物である異形断面を有する湾曲した薄板状体の一具体例として略への字状に湾曲したインストルメントパネルを例に説明するが、異形断面を有する湾曲した薄板状体はインストルメントパネルに限定されるものではない。
【００２２】
梱包体ユニット１は、インストルメントパネル９が梱包されて段積みされた複数の梱包体１０から構成されている。梱包体１０はインストルメントパネル９の両側端部を保持する一対の側面保持部材２、４と、一対の側面保持部材２、４の間に配置され、１個のインストルメントパネル９を支持する補強支持部材５とがインストルメントパネル９を梱包して段積みされた構成となっている。即ち、１個のインストルメントパネル９を梱包する１セットの側面保持部材２、４と補強支持部材５を複数セット備えて梱包体１０が構成されている。側面保持部材２、４は、一対でインストルメントパネル９の両側端部を支持して保持するための部材であり、側面保持部材２と側面保持部材４は、対称形状に形成されている。
【００２３】
このように、側面保持部材４は、側面保持部材２と対称形状に形成されているので、側面保持部材２と同一の構成部分には同一記号を付し、側面保持部材２を用いて側面保持部材２及び４について説明し、側面保持部材４についての詳細な説明は省略する。
【００２４】
側面保持部材２は、側面視略への字状に形成され、前後端に、略長方体の前脚部２１と後脚部２２を備え、前脚部２１と後脚部２２は、夫々の底面２３及び被梱包物の梱包時に外側となる外面２０が同一平面上に形成され、側面視略への字状で所定の厚みを有する側壁部２４で連結されている。側壁部２４は、前脚部２１と後脚部２２の外面２０と面一に前脚部２１から前方傾斜部２５が斜め上方に立ち上がり、前方傾斜部２５に前脚部２１と平行に中央水平部２６が連続し、中央水平部２６から後方傾斜部２７が斜め下方に延び、後方傾斜部２７が後脚部２２に連続する形状に形成されている。
【００２５】
前脚部２１の上面２１１と下面２１０とは平行に形成され、後脚部２２の上面２２１と下面２２０とは平行に形成されている。又、前脚部２１の高さＨ２１と後脚部２２の高さＨ２２とは同一である。前脚部２１の先端は支持部２１３として、後述する隣の梱包体１０の一つ上段の側面保持部材２、４の後脚部２２のずれ長さ分の突出部位を支持する。
【００２６】
そして、側壁部２４の少なくとも一部から、上壁部が側壁部２４と直行する方向且つ、被梱包物の梱包時に内側となる内面３０から内方向に延設されている。詳しくは、前方傾斜部２５の高さ方向の略中間部に前方傾斜部２５の全長に亘って上壁部２８が延設され、中央水平部２６の上端部から上壁部２８と連接する上壁部２９が延設されている。
【００２７】
側壁部２４の上面及び下面は、側面保持部材２の積層時に嵌合可能なように、対応した形状に形成されると共に、図２に示すように、側面保持部材２の長手方向に所定のずれ長さＬ７のずれを有している。又、前脚部２１の上面２１１の長手方向の長さＬ１は下面２１０の長さＬ２よりずれ長さＬ７分長く、後脚部２２の上面２２１の長手方向の長さＬ３は下面２２０の長さＬ４より、ずれ長さＬ７分短く形成されている。
【００２８】
前脚部２１には、上方及び内方に開口し、被梱包物の前方角隅部たるインストルメントパネル９の前方側端部９１を挿入するための保持凹部３１が形成されている。又、前脚部２１の上面２１１には、２個の結合凸部３２、３３が形成され、前脚部２１の下面２１０には、側面保持部材２を重ねた際、夫々結合凸部３２、３３が挿入され、嵌合する結合凹部３４、３５が形成されている。このような結合凹部３４、３５と結合凹部３４、３５に嵌合する結合凸部３２、３３で、長手方向に所定の長さずらして側面保持部材２を段積みするようにガイドすると共に係止するためのガイド係止手段が形成されている。
【００２９】
結合凹部３４、３５は、夫々結合凸部３２、３３の真下から、所定のずれ長さＬ７分、側面保持部材２の長手方向（図２において左右方向）の一方にずれて形成され、具体的には前方より（図２において右より）にずれて形成されている。
【００３０】
後脚部２２には、上方及び内方に開口し、被梱包物の後方角隅部たるインストルメントパネル９の後方側端部９２を挿入するためのする保持凹部３６が形成されている。又、後脚部２２の上面２２１には、２個の結合凸部３７、３８が形成され、後脚部２２の下面２２０には、側面保持部材２を重ねた際、夫々結合凸部３７、３８が挿入される結合凹部３９、４０が形成されている。
【００３１】
結合凹部３９、４０は、夫々結合凸部３７、３８の真下から、所定のずれ長さＬ７分、側面保持部材２の長手方向（図２において左右方向）の一方にずれて形成され、具体的には前方より（図２において右より）にずれて形成されている。このような結合凹部３９、４０と結合凹部３９、４０に嵌合する結合凸部３７、３８で、長手方向に所定の長さずらして側面保持部材２を段積みするようにガイドすると共に係止するためのガイド係止手段が形成されている。
【００３２】
そして、保持凹部４９と前脚部２１の保持凹部３１及び後脚部２２の保持凹部３６によりインストルメントパネル９の側端部を保持する保持部が形成されている。
【００３３】
側面保持部材２は、このような形状を有しているので、複数個の側面保持部材２を重ねた際に、上下段の側面保持部材２、２の夫々の前脚部２１、後脚部２２、側壁部２４、上壁部２８及び上壁部２９の上下面同士が面接触し、下段の側面保持部材２の結合凸部３２、３３、３７、３８が夫々上段の側面保持部材２の結合凹部３４、３５、３９、４０に挿入、嵌合され、上段の側面保持部材２が下段の側面保持部材２より所定のずれ長さＬ７分後方（図２において左より）にずれて、積層後には互いにずれることがなく安定的、固定的に積層される。
【００３４】
尚、上記実施の形態では、結合突起を、側面保持部材２の前脚部２１及び後脚部２２の上面２１１、２２１に夫々２個づつ形成しており、又、図面において、結合凸部３２、３３、３７、３８は、前脚部２１又は後脚部２２の上面２１１、２２１端部に形成され、結合凹部３４、３５、３９、４０は下方及び側方に開口した形状で示されているが、結合凸部の形成数、設置場所は特に限定されず、同様に結合凸部が挿入される結合凹部も結合凸部の形成数、設置場所に対応させて形成すればよい。例えば、結合凸部が側面保持部材２の上面の中央部に設けられている場合には、下方にのみ開口する結合凹部を形成することが出来る。
【００３５】
そして、図２によく示すように、側面保持部材２を上下に積層することにより、上段及び下段夫々の側壁部２４、前脚部２１、上壁部２８、２９及び後脚部２２により、梱包時に内側となる内面３０側には、インストルメントパネル９の側端部が収納される保持凹部４９が形成される。又、ガイド係止手段により、側面保持部材２は、前記所定の長さずらして段積みされ、上段の側面保持部材２は、下段の側面保持部材２からずらされた所定の長さＬ７分の突出部位が形成される。
【００３６】
補強支持部材５は、梱包する異形断面を有する湾曲した薄板状体の前後の重量バランスが異なる場合に、一例として、前端部より後端部の重量が重い場合に、軽量な前端部が上方へ浮き上がることを防止するための部材であり、略長方体状であり、上面５１又は内側面にはインストルメントパネル９の前後端のいずれか重い端部の一部、具体的には前端部より重量が重い後端部の後端中央部９７が挿入されて支持される支持凹部５４が形成されている。又、補強支持部材５の上面５１には、結合凸部５６が形成され、支持部材５の下面５２には、結合凸部５６が挿入され、嵌合する形状の結合凹部５７が形成されている。尚、梱包体１０は、補強支持部材５を備えずに構成することとしてもよい。
【００３７】
結合凹部５７は、結合凸部５６の真下から、側面保持部材２、４の前方水平部２１の上面の長手方向の長さＬ１が下面の長さＬ２より長い分の長さと等しい分、即ち所定のずれ長さＬ７分前方より（図３において右より）に形成されている。このような結合凹部５７と結合凹部５７に嵌合する結合凸部５６で、所定の長さずらして補強支持部材５を段積みするようにガイドすると共に係止するための係止手段が形成されている。
【００３８】
補強支持部材５は、このような形状を有しているので、複数個の補強支持部材５，５を重ねた際に、下段の補強支持部材５の上面５１と上段の補強支持部材５の下面５２が面接触し、下段の結合突起５６が上段の結合凹部５７に挿入され、上段の補強支持部材５が下段の補強支持部材５より後方（図３において左より）に所定のずれ長さＬ７分ずれて、安定的、固定的に積層される。
【００３９】
側面保持部材２、４、補強支持部材５及び後述する当接部材７は、所要の緩衝性と機械的強度を備えることを条件に任意の材料、方法で形成することが出来るが、成形型及び軽量性の観点から、その材料は発泡樹脂が好ましく、より好ましくは、熱可塑性樹脂であり、その方法として、熱可塑性樹脂を用いた型内発泡成形とすることが好ましい。熱可塑性樹脂としては、これらに限定されるものではないが、ポリスチレン系樹脂、例えば、ポリプロピレン係樹脂、ポリエチレン係樹脂等のポリオレフィン系樹脂、例えば、ポリエチレンテレフタレート、ポリブチレンテレフタレート、ポリエチレンナフタレート等のポリエステル系樹脂、ポリカーボネート系樹脂、ポリ乳酸系樹脂等が挙げられる。中でも、ポリスチレンとポリエチレンとを含む複合樹脂を用いることが好ましい。発泡体の倍率は、被梱包物の重量や形状等を勘案して適宜設定することが出来が、緩衝性がよく、軽量で経済的である点から、３０〜５０倍（０．０３３ｇ／Ｌ〜０．０２５ｇ／Ｌ）程度が好ましい。尚、非発泡樹脂を用いて真空成形や射出成形によって形成することも出来る。
【００４０】
次に、梱包体１０を用いたインストルメントパネル９の梱包方法を説明する。側面保持部材２の保持凹部３１にインストルメントパネル９の前方側端部９１を挿入すると共に、側面保持部材２の保持凹部３６にインストルメントパネル９の後方側端部９２を挿入し、側面保持部材２の上壁部２８、２９上にインストルメントパネル９の側端中央部９３を載置してインストルメントパネル９の一側端部を支持する。そして、同様にインストルメントパネル９の他端部を側面保持部材４に支持させる。側面保持部材２と側面保持部材４は、インストルメントパネル９を挟んで対向している。更に、補強支持部材５の支持凹部５４にインストルメントパネル９の後端中央部９７を挿入し、支持させる。このようにして、インストルメントパネル９を３箇所で支持して、梱包する。このように１セットの側面保持部材２、４及び補強支持部材５のみを用いてインストルメントパネル９を梱包する場合には、インストルメントパネル９の上方部分は、側面視で保持部材２、４から上方に突出している。
【００４１】
このように保持部材２、４及び補強支持部材５で構成される梱包体を用いて湾曲した板状体を保持するので、対向する端部間に重量の軽重がある板状体を安定的に保持し、保管、輸送時の破損を防止することが可能となると共に、梱包、輸送時での変形を防止することが可能となっている。
【００４２】
複数の薄板状体９を上下に積層して梱包させる場合には、インストルメントパネル９を梱包した１セットの側面保持部材２、４及び補強支持部材５を複数積層した梱包体１０を用いる。具体的には、下段の側面保持部材２、４の上面と上段の側面保持部材２、４の下面を面接触させると共に、下段の結合凸部３２、３３、３７、３８を上段の結合凹部３４、３５、３９、４０に挿入して嵌合させ、更に、下段の支持部材５の上面５１と上段の支持部材５の下面５２を面接触させると共に、下段の結合凸部５６を上段の結合凹部５７に挿入して嵌合させる。このように複数個の側面保持部材２、４及び補強支持部材５を積層することにより、複数個のインストルメントパネル９を梱包する梱包体１０が形成される。
【００４３】
この時、インストルメントパネル９の両側端部は、上段及び下段の側面保持部材２、４により形成された保持凹部４９に挿入され、インストルメントパネル９の上方部分が側面視で保持部材２、４から上方に突出することなく、完全に被覆される。
【００４４】
このように、インストルメントパネル９を梱包した１セットの側面保持部材２、４及び補強支持部材５を複数個積層すると、上段の側面保持部材２、４及び補強支持部材５は下段の側面保持部材２、４及び補強支持部材５より側面保持部材２、４の長手方向に所定のずれ長さＬ７分後方（図５において左より）にずれて、安定的、固定的に積層され、梱包体１０は階段状に積層される。
【００４５】
そして、上段の側面保持部材２、４及び補強支持部材５と下段の側面保持部材２、４及び補強支持部材５は前後（図５において左右）にずれて積層されるので、梱包体１０を用いることで、下段のインストルメントパネル９は、上段のインストルメントパネル９に一部挿入されて積層されることとなるので、積層高さを低くすることが出来る。
【００４６】
積層された最上段のインストルメントパネル９の上方部分は、側面視で最上段の側面保持部材２、４から上方に突出することになるので、最上段のインストルメントパネル９を梱包する側面保持部材２、４の上に更にインストルメントパネル９を梱包していない側面保持部材２、４を積層して、蓋７４として使用することが好ましい。このようにすることで、側面保持部材２、４と別部材の蓋の製造、使用が不要となり、コストの低廉化、作業の効率化を図りながら、最上段のインストルメントパネル９を保護することが出来る。
【００４７】
複数のインストルメントパネル９を前後方向に並列して梱包させる場合には、図４及び図５によく示すように、側面保持部材２、２同士、側面保持部材４、４同士を夫々の前端面と後端面を対向させて連接させる。又、前脚部２１の先端の支持部２１３は、隣接する梱包体１０（図５において右側の梱包体１０）の一つ上段の側面保持部材２、４の後脚部２２のずれ長さ分の突出部位を支持する。
【００４８】
更に、複数のインストルメントパネル９を並列させると共に積層して梱包し、少なくとも平行に設置された一対の壁部を有する外装ケースとしてのコンテナ８に収納する場合には、図４及び図５に示すように、一の梱包体１０（図５では右端の梱包体１０）の最下段の側面保持部材２、４及び他の梱包体１０（図５では左端の梱包体１０）の最上段の側面保持部材２、４が、一対の対向する壁部に接触するように設置することが好ましい。
【００４９】
又、蓋として使用する側面保持部材２、４、具体的には、コンテナ８の壁部に接触しない最下段の側面保持部材とコンテナ８の壁部との間及び最下段の側面保持部材２、４、具体的には、コンテナ８の壁部に接触しない最上段の側面保持部材とコンテナ８の壁部との間に、長方体形状の当接部材７を設置し、インストルメントパネル９を梱包した梱包体１のずれを防止することが好ましい。
【産業上の利用可能性】
【００５０】
以上のような本発明によれば、異形断面を有する湾曲した板状体の梱包、保管、輸送時に省スペース化を図ることが出来、保管、輸送の効率を高めることが出来、輸送、保管時の変形、破損を防止することが出来るので、各種部品等の輸送に好適に利用することが出来、又、各種物品の組み立て産業においても好適に利用することが出来る。
【符号の説明】
【００５１】
１      梱包体ユニット
１０    梱包体
２      側面保持部材
２１    前脚部
２１３  支持部
２２    後脚部
２４    側壁部
２８    上壁部
２９    上壁部
３１    保持凹部
３２    結合凸部
３３    結合凸部
３４    結合凹部
３５    結合凹部
３６    保持凹部
３７    結合凸部
３８    結合凸部
３９    結合凹部
４０    結合凹部
４      側面保持部材
５      補強支持部材
５４    支持凹部
５６    結合凸部
５７    結合凹部
７      当接部材
９      インストルメントパネル
Ｌ７    所定のずれ長さ
【図１】
0005407072.tif 000002
【図２】
0005407072.tif 000003
【図３】
0005407072.tif 000004
【図４】
0005407072.tif 000005
【図５】
0005407072.tif 000006